(57)【特許請求の範囲】
【請求項１】
ラップフィルムを収納可能で、前板と、底板と、後板と、脇板とを有する上面が開口した本体部と、前記後板から前方に延びて前記本体部の上面開口部を覆う蓋板と、前記蓋板から前記前板側に延びて前記前板の前面を覆う掩蓋片とを有する蓋部と、前記掩蓋片の先端縁に切り取り線を介して接続され、前記前板に接着された開封片と、を有し、前記開封片によって前記蓋部が封止されており、前記開封片を所定の開封方向に切り取ることによって前記蓋部を開封可能なラップフィルム収納箱であって、
前記前板には、前記開封片が接着する接着部が前記開封方向に複数並べて設けられ、
前記開封片には、前記開封方向と垂直な方向に向いた切り込み線が形成され、
前記切り込み線は、前記開封片と前記掩蓋片の先端縁を接続する切り取り線上に設けられ、なおかつ、前記開封片の開封開始側の前記各接着部の端から、開封開始側に６ｍｍ以内の位置に少なくとも一つ形成されている、ラップフィルム収納箱。
【請求項２】
前記切り込み線は、前記開封片の開封終了側の前記各接着部の端から、開封終了側に６ｍｍ以内の位置にも形成されている、請求項１記載のラップフィルム収納箱。
【請求項３】
前記切り込み線は、前記開封片の開封開始側の前記各接着部の端から、前記開封開始側に１６ｍｍ以内の位置に２箇所以上形成されている、請求項１又は２記載のラップフィルム収納箱。
【請求項４】
前記各接着部の周縁部には、前記前板の厚み方向に非貫通の半切り込み線が設けられている、請求項１〜３のいずれかに記載のラップフィルム収納箱。
【請求項５】
前記各接着部の周縁部には、前記前板の厚み方向に貫通する切り込み線と、前記接着部とその周りをつなぐつなぎ部が形成されている、請求項１〜３のいずれかに記載のラップフィルム収納箱。
【請求項６】
前記接着部は、前板のニス塗布処理が施された表面に点在し、一個当りの面積が１９．６ｍｍ2以下であり、この部分は接着剤が塗布されているがニスは塗布されておらず、且つ前板の長手方向に３〜１０個配置されている、請求項１〜３のいずれかに記載のラップフィルム収納箱。
【発明の詳細な説明】
【技術分野】
【０００１】
本発明は、特に食品包装用のラップフィルム、アルミホイル、クッキングシート等（以下、ラップフィルムと称す）を巻回したラップフィルム収納箱に関する。
【背景技術】
【０００２】
ラップフィルムは、通常、紙製の芯体に巻回されて巻筒体を構成し、当該巻筒体が、紙製の直方体のラップフィルム収納箱に収納されている。接着剤等でラップフィルム収納箱の前板部分に接着されている開封片を取り外すことで、ラップフィルムの使用に先立ち蓋の開閉が可能になる。ラップフィルムの切断手段としては金属、紙、樹脂製の鋸刃が知られており、上記鋸刃は、ラップフィルム収納箱の掩蓋片の先端部に配置されるのが一般的である。
【０００３】
このようなラップフィルム収納箱には、消費者にわたるまでの流通段階では開封することなく、その一方で消費者の使用時には開封片の取り外しが容易で、且つラップフィルム収納箱の外観品位を保ち、見苦しい切り取り状態にならないという、相反する要求があり、種々の提案がなされている。
【０００４】
特許文献１に記載の技術では、前板の半切れ線部分で層間剥離を起こしやすいように接着部の形状を偏平化した楕円形状とし、かつ開封片を掩蓋片から容易に、確実に切り取るためにＪ字形の切れ目を配置している。また、特許文献２の技術では、前板の半切れ線は設けずに、ニスを塗布しない部分（接着する部分）の面積を小さくすることで、表層剥離を制御し開封が容易で、かつ見苦しい切り取り状態にならない効果を発揮している。特許文献３の技術では、切除部に部分的につなぎの残る環状の切込みを形成することによって貼着片を複数個形成し、内側板に貼着片を残しながら収納箱を開封している。
【先行技術文献】
【特許文献】
【０００５】
【特許文献１】特許第３１４２９６９号公報
【特許文献２】特開平６−２９３３３６号公報
【特許文献３】実開昭５３−０２２７３３号公報
【発明の概要】
【発明が解決しようとする課題】
【０００６】
しかしながら、特許文献１、２の場合、前板の接着部の接着力が起点となり、開封中に開封片が特に局所的に折れやすく、その折れた部分で開封片自体の強度が極端に低下し、さらには折れた部分から開封片の裂けが生じることがある。この裂けた部分の裂け開始点は接着部の押えと位置が一致しているため、裂けをさらに進行させ、結果として開封片が途中でちぎれる状況に至ることがある。
【０００７】
また、特許文献３の技術では、切除部に部分的につなぎの残る環状の切込みを形成することによって貼着片を複数個形成し、内側板に貼着片を残しながら開封する収納箱が提案されている。しかし、このような方式の場合、切除部から貼着片が刳り貫かれるため、切除部の強度が極端に低下し、切り取り時に切除部のちぎれ等が誘発され、外観品位が低下する懸念がある。
【０００８】
本発明はかかる点に鑑みてなされたものであり、開封時の開封片のちぎれを防止して、ラップフィルム収納箱の外観品位を保ち、見苦しい切り取り状態にならないラップフィルム収納箱を提供することを目的とする。
【課題を解決するための手段】
【０００９】
本発明者等は、鋭意研究を重ねた結果、接着部近傍の所望の位置に縦方向の切り込み線を配することで上記の種々の課題が解決されることを見出し、本発明をなすに至った。すなわち、本発明は下記（１）〜（６）を提供する。
【００１０】
（１）ラップフィルムを収納可能で、前板と、底板と、後板と、脇板とを有する上面が開口した本体部と、前記後板から前方に延びて前記本体部の上面開口部を覆う蓋板と、前記蓋板から前記前板側に延びて前記前板の前面を覆う掩蓋片とを有する蓋部と、前記掩蓋片の先端縁に切り取り線を介して接続され、前記前板に接着された開封片と、を有し、前記開封片によって前記蓋部が封止されており、前記開封片を所定の開封方向に切り取ることによって前記蓋部を開封可能なラップフィルム収納箱であって、前記前板には、前記開封片が接着する接着部が前記開封方向に複数並べて設けられ、前記開封片には、前記開封方向と垂直な方向に向いた切り込み線が形成され、前記切り込み線は、前記開封片と前記掩蓋片の先端縁を接続する切り取り線上に設けられ、なおかつ、前記開封片の開封開始側の前記各接着部の端から、開封開始側に６ｍｍ以内の位置に少なくとも一つ形成されている、ラップフィルム収納箱。なお、「垂直な方向」には、開封方向の垂直に対し３０°以内の方向が含まれる。
（２）前記切り込み線は、前記開封片の開封終了側の前記各接着部の端から、開封終了側に６ｍｍ以内の位置にも形成されている、（１）に記載のラップフィルム収納箱。
（３）前記切り込み線は、前記開封片の開封開始側の前記各接着部の端から、前記開封開始側に１６ｍｍ以内の位置に２箇所以上形成されている、（１）又は（２）に記載のラップフィルム収納箱。
（４）前記各接着部の周縁部には、前記前板の厚み方向に非貫通の半切り込み線が設けられている、（１）〜（３）のいずれかに記載のラップフィルム収納箱。
（５）前記各接着部の周縁部には、前記前板の厚み方向に貫通する切り込み線と、前記接着部とその周りをつなぐつなぎ部が形成されている、（１）〜（３）のいずれかに記載のラップフィルム収納箱。
（６）前記接着部は、前板のニス塗布処理が施された表面に点在し、一個当りの面積が１９．６ｍｍ2以下であり、この部分は接着剤が塗布されているがニスは塗布されておらず、且つ前板の長手方向に３〜１０個配置されている、（１）〜（３）のいずれかに記載のラップフィルム収納箱。
【発明の効果】
【００１１】
本発明のラップフィルム収納箱は、開封時に、開封片における開封方向と垂直な方向（縦向き）に向いた切り込み線で開封片を積極的に折り曲がらせることで、接着部上での開封片の折り曲がりを抑制し、折り曲がりで生じた裂けの位置と接着部の位置が一致するのを防ぐことができる。これにより、裂けの進行を抑制し、開封片がちぎれる状況を回避し、開封後の外観品位を向上させられる。また、このような開封片のちぎれを防止することで、開封片がちぎれて再度開封を試みる場合のように掩蓋片の切断刃近傍での操作を抑制できるため、安全性も高められる。さらには接着部近傍で開封片を折り曲がらせることで、接着部を外す力を伝えやすくし、開封しやすさも向上できる。
【図面の簡単な説明】
【００１２】
【図１】本発明のラップフィルム収納箱の概略を示す斜視図である。
【図２】本発明のラップフィルム収納箱の展開図を示す平面図である。
【図３】本発明のラップフィルム収納箱の開封時の状態を示す斜視図である。
【図４】縦向きの切り込み線の位置を示すラップフィルム収納箱の正面図である。
【図５】接着部の構成を示す開封方向の開封片と前板の断面図である。
【図６】半切れ線を有する接着部と、その接着部の開封終了側の直近の縦向きの切り込み線との距離を示すラップフィルム収納箱の正面図である。
【図７】接着部と、その接着部の開封開始側の２番目の縦向きの切り込み線との距離を示すラップフィルム収納箱の正面図である。
【図８】（ａ）は、切り込み線とつなぎ部で囲まれた接着部の平面図であり、（ｂ）は、その接着部の開封方向の断面図である。
【図９】面積を狭めた接着部の断面図である。
【図１０】縦向きの切り込み線を切り取り線から独立させた場合のラップフィルム収納箱の一部の正面図である。
【図１１】距離Ｌ１、Ｌ２、Ｌ３を示す説明図である。
【図１２】実施例と比較例の距離Ｌ１、Ｌ２、Ｌ３の寸法を示す表である。
【図１３】実施例と比較例の評価結果を示す表である。
【発明を実施するための形態】
【００１３】
本発明について、以下具体的に説明する。なお、以下の実施の形態は、本発明を説明するための例示であり、本発明はその実施の形態のみに限定されるものではない。なお、同一の要素には同一の符号を付し、重複する説明を省略する。また、図面中、上下左右等の位置関係は、特に断らない限り、図面に示す位置関係に基づくものとする。さらに、図面の寸法比率は、図示の比率に限定されるものではない。
【００１４】
図１はラップフィルム収納箱を示す概略斜視図であり、図２は図１のラップフィルム収納箱の表面側の展開図である。
【００１５】
図１及び図２に示すようにラップフィルム収納箱１は、全体が直方体形状を有し、例えば掩蓋片１０、蓋板１１、脇掩蓋片１２等からなる蓋部１３と、前板１４、底板１５、後板１６、脇板１７、折返し板１８等からなる本体部１９と、開封片２０とを有している。
【００１６】
本体部１９は、上面開口部を有し、例えば円筒状の芯体に巻かれたラップフィルムを上面開口部から収容できる。蓋部１３の蓋板１１は、後板１６から前方に延びて本体部１９の上面開口部を覆っている。掩蓋片１０は、蓋板１１から前板１４側に延びて前板１４の前面を覆っている。折返し板１８は、前板１４の上端縁に接続され前板１４の裏面側に折り返されて前板１４の裏面を覆っている。
【００１７】
なお、ラップフィルム収納箱１を構成する原紙としては、例えば、ボール紙、コートボール紙、段ボール等が挙げられるが、これらに限定されず、当業界で公知の紙類を適宜選択して用いることができる。原紙は、これらの素材に、エンボス加工、印刷加工、ポリエチレン等を用いたラミネート加工が施されたものであっても構わない。
【００１８】
開封片２０は、本体部１９の前面に位置し、収納箱１の長手方向に沿った帯状に形成されている。開封片２０は、掩蓋片１０の先端縁に切り取り線２１を介して接続されている。開封片２０の裏面側は、前板１４の後述の複数の接着部３０に接着している。この開封片２０によって蓋部１３が封止されており、図３に示すように開封片２０を開封方向Ｘに向けて切り取り線２１に沿って切り取ることによって蓋部１３を開封できる。
【００１９】
掩蓋片１０の先端縁部の裏面側には、ラップフィルム収納箱１の長手方向に沿って金属製鋸刃２２がカシメ爪でカシメ固定されている。使用時に本体部１９から所望量引き出されたラップフィルムは、この金属製鋸刃２２により切断される。なお、このラップフィルムの切断具の材質は、金属、プラスチック、バルカナイズドファイバー等であり、切断具の形状は、直線状、Ｖ状、アーチ状等従来公知のものであれば特に制限はない。また、切断具が配備されている部位は、掩蓋片１０の先端縁部、その他前板１４の上縁部、底板１５と前板１４の間の稜線部いずれでも構わない。
【００２０】
図２及び図４に示すように前板１４の下部には、開封片２０が接着する複数の接着部３０が開封方向Ｘに沿って並べて設けられている。接着部３０は、例えば円形或いは楕円形を有し、その周縁部には、図５に示すように前板１４の厚み方向に非貫通の半切り込み線３０ａが形成されている。接着部３０の表面は、開封片２０の裏面に塗布された接着剤Ａにより開封片２０に接着されている。開封片２０に対向する前板１４の接着部３０以外の部分は、接着剤Ａとの剥離性が良好なニスＢが塗布されており、開封片２０の裏面に塗布された接着剤Ａとは仮留め程度の接着力しか示さない。かかる接着部３０の場合、開封片２０を開封方向Ｘに引っ張って、前板１４の非貫通の半切り込み線３０ａで囲まれた接着部３０を層間剥離させることにより、開封片２０を切り取ることができる。接着剤Ａの塗布は図５のように直線状に行い、ニスＢの塗布により接着部３０の接着を制御することが生産性および精度の点で好ましいが、接着剤Ａを接着部３０に局所的に塗布する方法でもよく、特に限定するものではない。
【００２１】
図２及び図４に示すように開封片２０には、前板１４の接着部３０に対応する位置に、半円切れ目４０が形成されている。これにより、仮に開封片２０側で想定外の層間剥離が生じた場合に半円切れ目４０で当該剥離を遮断することができる。なお、この半円切れ目４０はあってもなくてもよい。
【００２２】
切り取り線２１は、開封片２０の開封開始端から開封終了端にわたり断続的に形成された複数の切り込み５０から構成されている。例えば切り込み５０は、開封方向Ｘに略垂直の縦向きの切り込み線５０ａと、開封方向Ｘに沿った横向きの切り込み線５０ｂを有している。例えば各切り込み５０は、一対の縦向きの切り込み線５０ａと横向きの切り込み線５０ｂが交差して略Ｔ字或いは略Ｊ字形状を有している。横向きの切り込み線５０ｂは、例えば縦向きの切り込み線５０ａの中央付近から開封方向Ｘ側に延びている。
【００２３】
開封の際には、開封片２０を開封方向Ｘへ引っ張ることにより、接着部３０における剥離と、切り込み５０相互間のつなぎ部分の破断が生じ、開封片２０が前板１４および掩蓋片１０から離れることにより、蓋部１３が開封される。また、開封片２０を切り取る際に、一の横向きの切り込み線５０ｂの端部から、次の縦向きの切り込み線５０ａに至る過程で、つなぎ部分の破断方向が多少上下しても、次の切り込み５０の縦向きの切り込み線５０ａの範囲で破断を受け止めることができる。
【００２４】
図４に示すように、接着部３０の開封開始側の端から、開封開始側に６ｍｍ以内の位置に、複数の縦向きの切り込み線５０ａの中の一つが配置されている。つまり、接着部３０と、接着部３０の開封開始側の直近の縦向きの切り込み線５０ａとの距離Ｌ１が、６ｍｍ以下になっている。距離Ｌ１は、好ましくは１ｍｍ以上５ｍｍ以下であり、より好ましくは１ｍｍ以上３ｍｍ以下である。なお、従来の縦向きの切り込み線は、鋸刃のカシメ爪の固定位置にあわせており、接着部との位置関係は全く制御されていない。
【００２５】
本実施の形態によれば、縦向きの切り込み線５０ａが、開封開始側の各接着部３０の端から、開封開始側に６ｍｍ以内の位置に形成されているので、開封片２０を切り取る際に、各接着部３０の直前の縦向きの切り込み線５０ａにおいて、開封片２０が折り曲げられる。開封片２０は、一定の間隔がないと折り曲がりにくいため、各接着部３０の直前の切り込み線５０ａで折り曲げられることにより、各接着部３０上では折り曲がりにくくなる。この結果、接着部３０上で折り曲げられることにより起こりやすくなる開封片２０のちぎれを抑制することができる。
【００２６】
また、本実施の形態によれば、接着部３０の近傍で開封片２０を折り曲がらせることで、開封片２０から接着部３０に当該接着部３０を外す力を伝えやすくし、開封しやすさを向上させることもできる。
【００２７】
なお、上述の開封開始側の各接着部３０の端から６ｍｍ以内の位置に形成された縦向きの切り込み線５０ａは、特に限定されないが、横向き切り込み線５０ｂから開封片２０の内側に延びる長さが、０．５〜５ｍｍの範囲であれば効果が得られやすい。また、その横向き切り込み線５０ｂから開封片２０の内側に延びる長さは、好ましくは０．５〜４ｍｍであり、より好ましくは１〜３ｍｍの範囲である。このような範囲にあれば、開封片２０の強度を維持する効果と、開封片２０を折り曲げる効果が両立しやすくなる。また、縦向きの切り込み線５０ａの幅は、特に限定されないが、幅０．２５〜０．８０ｍｍ程度が好ましい。
【００２８】
縦向きの切り込み線５０ａは、特に限定されないが、必ずしも開封方向Ｘ（切り取り線２１の方向）に対し垂直である必要はなく、角度±３０°の範囲で傾きをもっても良く、この範囲であれば効果が得られやすい。また、その縦向きの切り込み線５０ａの傾きは、好ましくは±１５°であり、より好ましくは±１０°の範囲である。このような範囲にあれば、開封片２０を開封する際に、開封片２０を折り曲げやすい。
【００２９】
また、図６に示すように、縦向きの切り込み線５０ａは、開封片２０の開封終了側の各接着部３０の端から、開封終了側に６ｍｍ以内の位置にも形成されていてもよい。つまり、接着部３０と、接着部３０の開封終了側の直近の縦向きの切り込み線５０ａとの距離Ｌ２が、６ｍｍ以下になっていてもよい。距離Ｌ２は、より好ましくは１ｍｍ以上５ｍｍ以下であり、更に好ましくは１ｍｍ以上３ｍｍ以下である。このような範囲に縦向きの切り込み線５０ａを設けることにより、開封片２０の開封開始側に配した縦向きの切り込み線５０ａとの距離が短くなり、接着部３０の前後の２箇所間を折り曲げることにより、開封片２０をたわみにくくすることができる。このように開封片２０をたわみにくくすることで、接着部３０上で開封片２０を折り曲げにくくし開封片２０のちぎれを防止すること、また、開封片２０から接着部３０に当該接着部３０を外す力を効果的に作用させることができる。
【００３０】
さらには、図７に示すように、縦向きの切り込み線５０ａは、各接着部３０の端から開封開始側の１６ｍｍ以内の位置に２箇所以上形成されていてもよい。かかる場合、例えば各接着部３０の端から数えて２番目の縦向きの切り込み線５０ａを、各接着部３０の端の開封開始側に６ｍｍを超えて１６ｍｍ以内の位置に形成する。なお、各接着部３０の端から数えて２番目の切り込み線５０ａまでの距離Ｌ３は、より好ましくは１４ｍｍ以下、更に好ましくは１２ｍｍ以下である。このような範囲にあれば、開封時に、接着部３０に至る直前に、開封片２０を積極的に複数回折り曲げることができるため、前板１４に対する開封片２０の曲がり角度を鈍角に保つことができる。これにより、開封片２０が折り曲がる際の個々の応力が分散され、開封片２０の裂けを抑制し、開封片２０のちぎれを抑制することができる。
【００３１】
本実施の形態の接着部３０は、その周縁部に非貫通の半切り込み線３０ａを設けたものであったが、これに限定されるものではない。例えば図８（ａ）、（ｂ）に示すように、接着部３０の周縁部には、前板１４の厚み方向に貫通する切り込み線６０と、前板１４における接着部とその周りをつなぐつなぎ部６１により形成されていてもよい。開封片２０は、接着部３０に塗布された接着剤Ａを介して接着部３０に接着されている。このような形態の場合、開封片２０を切り取る際に、貫通する切り込み線６０で切り取られ、開封片２０と共に接着部３０全体が前板１４から外れ、開封片２０を切り取ることができる。
【００３２】
上記図５や図８の接着部３０の場合、その数は、特に限定されないが、前板１４の下部に２〜１０個の接着部３０を設けていることが好ましい。こうすることで、流通段階での封止性を十分に確保することができる。また、接着部３０を複数個設けることで、各接着部３０の接着強度を必要以上に上げる必要がないため、開封片２０を開封する際の抵抗を極力抑えることができる。また、接着部３０の面積は、特に限定されないが、接着部２０の１箇所あたり２００ｍｍ2以下が好ましい。より好ましくは、１５０ｍｍ2以下、３０ｍｍ2以上である。開封性と封止性のバランスから、各接着部３０の面積を前記範囲で変えてもよい。このような範囲にあれば、開封片２０の開封時の開封性と流通段階等の封止性のバランスが得やすく、さらには外観品位に影響を及ぼしにくい。また、接着部３０の接着力は、特に限定されないが、接着部３０にニスを塗布しない方法や、接着剤が塗布しやすいニス等を塗布することで接着剤の接着力を高める方法や、あるいは接着部３０内に非貫通穴、あるいは貫通孔を複数個設けることで接着剤が浸透し錨効果により接着力を高める方法により得られる。
【００３３】
また、接着部３０は、図９に示すように、切り込みが無く、平坦であってもよい。かかる場合、例えば接着部３０の一個あたりの面積が、１９．６ｍｍ2以下であり、前板１４のこの接着部３０には接着剤Ａが塗布され、それ以外の部分にはニスが塗布されていてもよい。このような形態の場合、開封片２０を切り取る際に、開封片２０側を層剥離させ、開封片２０を切り取ることができる。また、接着部３０の数は、特に限定されないが、前板１４の下部のニス塗布部に３〜１０個の接着部３０を設けていることが好ましい。こうすることで、流通段階での封止性を十分に確保することができる。また、接着部３０を複数個設けることで、各接着部３０の接着強度を必要以上に上げる必要がないため、開封片２０を開封する際の抵抗を極力抑えることができる。
【００３４】
以上の図５、図８、図９の接着部３０の形状は、特に限定されないが、円形、楕円形、三角形、四角形、偏平化した楕円形、ラップフィルム収納箱の幅方向で非対称に偏平した楕円形、開封片の切り取り開始側を狭い状態に倒した三角形や涙形等でもよい。また、接着方法としては、特に限定されないが、ホットメルト、コールドグルーといった接着剤を用いる方法や、両面テープのように基材を持つ接着方法であっても良い。
【００３５】
以上の実施の形態において、縦向きの切り込み線５０ａは、対をなす横向きの切り込み線５０ｂの開封開始側の先端で交差していたが、横向きの切り込み線５０ｂの途中で交差していてもよいし、開封終了側の後端で交差していてもよい。また、縦向きの切り込み線５０ａは、切り込み線５０ｂと交差していなくてもよい。
【００３６】
また、切り込み線５０ａは、開封片２０と掩蓋片１０の先端縁を接続する切り取り線２１上に設けられていたが、図１０に示すように開封片２０と掩蓋片１０の先端縁を接続する切り取り線２１とは独立し、切り込み線５０ａの全体が開封片２０内に設けられていてもよい。かかる場合、開封片２０の接着部３０の直前での折り曲げをより確実に行うことができ、開封片２０のちぎれをより確実に防止できる。
【００３７】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【実施例】
【００３８】
以下、実施例及び比較例を挙げて、本発明を詳細に説明するが、本発明はこれらに限定されるものではない。
【００３９】
まず、実施例及び比較例で用いた評価方法について説明する。
［評価方法］
各実施例と比較例のサンプルの開封片の切り取り（剥離）を行った。切り取り条件として、各実施例及び比較例毎に、図１１に示す各接着部の開封開始側の端と、その開封開始側の直近の縦向きの切り込み線との距離Ｌ１、各接着部の開封終了側の端とその開封終了側の直近の縦向きの切り込み線との距離Ｌ２、各接着部の端と、その開封開始側の２番目に近い縦向きの切り込む線との距離Ｌ３を変えた。図１２の表にこれらの寸法（ｍｍ）を示す。また、開封片のつまみ位置から切り取り点と、前板とのなす角（開封角度）を１３５°および１８０°の２種類とし、切り取り速度は２０ｃｍ／秒程度のゆっくりとした速度で各々５０回実施した。さらに、各実施例と比較例において、図５（玉抜き型）、図８（刳り貫き型）、図９（点付け型）で示した３種類の接着部を用いた。具体的には、玉抜き型は旭化成ホームプロダクツ（株）社製サランラップ（登録商標）の銘柄３０ｃｍ×５０ｍの接着部の設計を利用した。これは、楕円と円からなる形状で周縁部を非貫通の半切り込み線とし、１５ｍｍ×６ｍｍの接着部を４箇所配置した。刳り貫き型は、玉抜き型と同じ形状で、周縁部を貫通の切り込み線と、前板における接着部とその周りをつなぐつなぎ部（接着部中央と、中央から開封終了側４ｍｍの位置に０．５ｍｍ設けた）により形成され、４箇所配置した。点付け型は旭化成ホームプロダクツ（株）社製サランラップ（登録商標）の銘柄３０ｃｍ×２０ｍの接着部の設計を利用した。これは、接着部周縁部に切り込みが無く、平坦であり、両端２箇所に直径４．５ｍｍの円形状、中央６箇所に直径３ｍｍの円形状にニスを塗布しない部分を設け、配置した。
開封後のサンプルを観察し、下記のような不具合発生率を算出し、その評価結果を図１３の表に示した。
【００４０】
不具合発生率
不具合発生率（％）＝開封片ちぎれ数／評価数×１００
評価は、開封角度１３５°のとき、不具合発生率が２０％以下の場合を合格◎、○（◎は、１０％以下）とし、２０％を超える場合を不合格△、×（×は、３０％以上）とした。開封角度１８０°のとき、不具合発生率が４０％以下の場合を合格◎、○（◎は、１５％以下）とし、４０％を超える場合を不合格△、×（×は、５０％以上）とした。
【００４１】
［実施例１］
原紙はコートボール紙（王子板紙（株）社製サンコート（登録商標））の坪量５５０ｇ／ｍ2を用い、基本設計を旭化成ホームプロダクツ（株）社製サランラップ（登録商標）の銘柄３０ｃｍ×５０ｍとした。この開封片まで達する縦向きの切り込み線の配置は、図１２の表のものを基本設計とし、開封片の開封開始側の接着部の端から、開封開始側に６ｍｍの位置に直近の縦向きの切り込み線を形成した。その長手方向各面を折り曲げて開封片を前板上に糊材（ヘンケルジャパン（株）社製インスタントロック（登録商標））で貼り付け、その後側面部も糊材で貼り付けて直方体状のラップフィルム収納箱を組み立てた。
【００４２】
［実施例２〜４］
実施例１と同様の設計で、相違部分として、開封片の開封開始側の接着部の端から、開封開始側に５ｍｍ、４．５ｍｍ、３ｍｍの位置に切り込み線を形成した。
【００４３】
［実施例５］
実施例１と同様の設計で、さらに、開封片の開封終了側の接着部の端から、開封終了側に６ｍｍの位置に縦向きの切り込み線を形成した。
【００４４】
［実施例６］
実施例５と同様の設計で、相違部分として、開封片の開封終了側の接着部の端から、開封終了側に４ｍｍの位置に縦向きの切り込み線を形成した。
【００４５】
［実施例７］
実施例５と同様の設計で、相違部分として、開封片の開封開始側の接着部の端から、開封開始側に１６ｍｍの位置に、接着部の端から２番目に近い縦向きの切り込み線を形成した。
【００４６】
［実施例８］
実施例５と同様の設計で、相違部分として、開封片の開封開始側の接着部の端から、開封開始側に１４ｍｍの位置に、接着部の端から２番目に近い縦向きの切り込み線を形成した。
【００４７】
［比較例１］
実施例１と同様の設計で、相違部分として、開封片の開封開始側の接着部の端から、開封開始側に１２．５ｍｍの位置に直近の縦向きの切り込み線を形成した。
【００４８】
［比較例２］
実施例１と同様の設計で、相違部分として、開封開始側の接着部の端から、開封開始側に１０ｍｍの位置に直近の縦向きの切り込み線を形成した。
【００４９】
［比較例３］
実施例１と同様の設計で、相違部分として、開封開始側の接着部の端から、開封開始側に−３ｍｍ（接着部上）の位置に切り込み線を形成した。
【００５０】
なお、縦向きの切り込み線の位置を変えても、流通段階での封止性への悪影響は見られず、開封性のみを選択的に向上させることができた。
【産業上の利用可能性】
【００５１】
以上詳述したとおり、本発明のラップフィルム収納箱は、流通段階での封止性に優れ、且つ消費者の使用時には良好な開封性を示すラップフィルム収納箱として好適に利用できる。
【符号の説明】
【００５２】
１  ラップフィルム収納箱
１０  掩蓋片
１３  蓋部
１４  前板
１９  本体部
２０  開封片
２１  切り取り線
３０  接着部
５０ａ  縦向きの切り込み線
Ｘ  開封方向
【図１】
0006010345.tif 000002
【図２】
0006010345.tif 000003
【図３】
0006010345.tif 000004
【図４】
0006010345.tif 000005
【図５】
0006010345.tif 000006
【図６】
0006010345.tif 000007
【図７】
0006010345.tif 000008
【図８】
0006010345.tif 000009
【図９】
0006010345.tif 000010
【図１０】
0006010345.tif 000011
【図１１】
0006010345.tif 000012
【図１２】
0006010345.tif 000013
【図１３】
0006010345.tif 000014